(57)【特許請求の範囲】
【請求項１】
膝を保護する強度と保形性を備えたカップ部と、該カップ部の内面にクッション性を備えた上部パッドと下部パッドからなる前面パッドを配置し、
前記カップ部を膝に装着するための装着ベルトと、膝の背面に位置させる背面パッドとを備え、
前記装着ベルトは前記カップ部の前記上部パッド側に端部を固定した伸縮ベルトからなり、
前記背面パッドは、心材と、該心材の上端より上位置で外装体を縫着した折り曲げ線と、該折り曲げ線より上の位置に固定した係止手段と、からなり、
前記係止手段に前記装着ベルトを係止することで前記背面パッドを前記装着ベルトに吊り下げて支持し、
前記背面パッドは、前記膝を曲げたときに前記膝の背面において太ももとふくらはぎの間に挟まれることを特徴とする膝用プロテクタ。
【請求項２】
背面パッドは、柔軟な発泡合成樹脂材を心材として外表面を外装体としてシート材で被覆した平板とし、該平板の上縁左右両位置を装着ベルトに支持させたことを特徴とする請求項１記載の膝用プロテクタ。
【発明の詳細な説明】
【技術分野】
【０００１】
この発明は、主としてタイル工事、内装床貼り、内装清掃作業及び農作業などに際して膝をついて作業を行う場合に使用する膝用プロテクタに関する発明である。
【背景技術】
【０００２】
農作業、土木工事といった屋外作業や、タイル工事、内装床貼りなどの屋内作業を行うのに際し、膝をついて作業を行う、あるいは不意にひざをついてしまうといった作業が少なくない。このような場合に、ズボンの破損を防止しあるいは膝を守るために、各種膝用のプロテクタが工夫されている。
例えば特許文献２には、クッション性シート体を、面ファスナーを利用して膝に被せた状態で装着する膝当ての発明が開示されている。
また、特許文献３には、上下の二箇所に設けたバンドによって膝に装着する膝当クッション材の上端中央に連結部を設け、この連結部に薄板状弾性材の一端を連結するとともに該薄板状弾性材の巻き取り収納ケースを腰のバンド６に固定し、常時クッション性シート材を上方に引き上げる力を作用させる発明が開示されている。
特許文献２や３は、作業中に位置ズレを生じ易いため、本発明者らは特許文献１に開示される頑丈で位置ズレを生じにくい膝用プロテクタを工夫した。
【特許文献１】特開２００９−２４２８２号公報
【特許文献２】特開平１０―４６４１１号公報
【特許文献３】特開２００７―１１３１２７号公報
【発明の開示】
【発明が解決しようとする課題】
【０００３】
上記、特許文献１ないし３に記載された従来の膝用プロテクタは、膝の正面からの力、すなわち、膝をついたときの荷重などによって膝に生じるダメージを和らげる効果はあるが、急激にひざを曲げた場合などに生じる膝への衝撃的なダメージや、長時間膝を曲げた状態での作業により生じる膝へのダメージを防止することはできなかった。
【０００４】
上記、従来技術の欠点に鑑み本発明は、急激に膝を曲げて衝撃が作用するような事態、あるいは長時間膝を曲げた状態の作業によって膝にダメージが発生するような場合に備え、膝へのダメージを軽減することができる膝用プロテクタを提供することを目的とするものである。
【課題を解決するための手段】
【０００５】
上記目的を達成するための、請求項１記載の発明は、膝を保護する強度と保形性を備えたカップ部１と、このカップ部１の内面にクッション性を備えた上部パッド２ａと下部パッド２ｂからなる前面パッド２を配置し、前記カップ部１を膝に装着するための装着ベルト３と、膝の背面に位置させる背面パッド４とを備え、
前記装着ベルト３は前記カップ部１の前記上部パッド２ａ側に固定した伸縮ベルトからなり、前記背面パッド４は、心材５と、この心材５の上端より上位置で外装体を縫着した折り曲げ線１４と、この折り曲げ線１４より上の位置に固定した係止手段と、からなり、前記係止手段に前記装着ベルト３を係止することで前記背面パッド４を前記装着ベルト３に吊り下げて支持し、前記背面パッド４は、前記膝を曲げたときに前記膝の背面において太ももとふくらはぎの間に挟まれる。
【０００６】
請求項２記載の発明は、背面パッド４を、柔軟な発泡合成樹脂材を心材５として外表面を外装体としてシート材６で被覆した平板とし、該平板の上縁左右両位置を装着ベルト３に支持させることである。
【発明の効果】
【０００７】
作業中に急激に膝を曲げた場合、例えば、不用意に尻を落としたようなときに、膝の曲りを止める力が入らない状態で膝を曲げてしまう場合がある。このような場合、衝撃的な力が膝を曲げる方向に作用することになるが、本発明の膝用プロテクタでは、膝を曲げた場合の膝の上部分と下部分、すなわち太ももとふくらはぎの間に背面パッド４が挟まれる。
これにより、太ももとふくらはぎが背面パッド４によって支持されることになる。太ももとふくらはぎの間に背面パッド４が位置することにより、膝に作用する衝撃が背面パッド４の柔軟性によって吸収されるとともに、膝の屈曲を制限することになり、膝が過度に屈曲されてダメージを与えるのを防止することができる。
【０００８】
請求項２記載の発明によれば、心材５である発泡合成樹脂材によって効果的に衝撃を吸収する効果がある。そして、心材５がシート材６、例えば吸湿性シート材で被覆されていることによって汗が吸収され、快適に作業を進めることができる。さらに、平板に形成した背面パッド４の上縁左右両位置を装着ベルト３に支持させたことによって、背面パッド４が膝裏のなるべく定位置に安定的に保持され、背面パッド４が盲動することによって作業者の動きが制限される可能性を少なくすることができる。
【図面の簡単な説明】
【０００９】
【図１】図１は、膝用プロテクタ全体の斜視図、
【図２】図２は、正面図、
【図３】図３は、本発明に係る膝用プロテクタを装着した状態の側面図、
【図４】図４は、図３に示す状態から膝を深く曲げた状態を示す側面図、
【図５】図５は、図３に示す状態の縦断面図である。
【発明を実施するための形態】
【００１０】
以下、本発明に係る膝用プロテクタの好ましい実施形態を添付の図面に基づいて説明する。図１は斜視図、図２は正面図、である。
【００１１】
図１、図２に示す実施形態の膝用プロテクタは、膝を保護する強度と保形性を備えたカップ部１と、カップ部１を膝に装着するための装着ベルト３と、カップ部１の内面に配置するクッション性を備え、膝全体を覆う大きさの前面パッド２と、膝の背面に位置させる背面パッド４とで構成する。
【００１２】
カップ部１は、合成樹脂材で、例えば球面あるいは椀形状であって、膝頭部分が自然に入り込むような形状に形成する。そして、膝をついたときに接地する中央部に、一段と高い接地部７を形成している。この接地部７は、図２に示す正面図において横長の楕円形に現れている。
【００１３】
カップ部１の内面には、クッション性を備え、膝全体を覆う大きさの前面パッド２を配置している。前面パッド２は、膝を保護するクッション性と接地に耐える外表面の強度を備えたものとするのが好ましい。
前面パッド２は上下二分割とし、上部パッド2aをカップ部１に固定するとともに、上部パッド2aと下部パッド2bを図５に示すように伸縮性連結部材８で連結している。カップ部１と上部パッド2aを固定するために、左右両側と上部の三箇所を鋲９によってしっかりと固定している。
【００１４】
カップ部１を膝に装着する装着ベルト３は、扁平な伸縮性ベルトを利用している。装着ベルト３は、カップ１の右辺に鋲９によって固定する長寸法の右ベルト3aと、カップ１の左辺に鋲９で固定する短寸法の左ベルト3bで構成し、右ベルト3aの先端に係止具の雄片10を、左ベルト3bの先端に係止具の雌片11を取り付けることによって、膝の裏側に回した右ベルト3aの雄片10と、左ベルト3bの雌片11をワンタッチで着脱することができる。
すなわち、カップ部１を膝の正面に位置させ、長寸法の右ベルト3aを膝の裏側に巻回させて先端の雄片10を左ベルト3bの先端に取り付けた雌片11に係止させることによって、本発明に係る膝用プロテクタを膝に容易に装着することができる。
【００１５】
装着ベルト３、具体的には長寸法である右ベルト3aに、背面パッド４を支持させている。すなわち、本発明に係る膝用プロテクタを装着したとき、図３に示すように膝の背面において、背面パッド４が装着ベルトに吊り下げられた状態となる。この状態で膝を強く曲げると、図４に示すように  太ももＡとふくらはぎＢの間に背面パッド４が挟まれることによって、膝が過度に屈曲されるのを防止するとともに、背面パッド４の弾性、クッション性によって膝に与えるダメージを軽減することができる。
【００１６】
膝の曲げ伸ばしによって表面が大きく伸縮するのは、膝の中央部分であることから、図示例のように上部パッド2aと下部パッド2bに分離し、その両端を連結するとともに、中央部を伸縮性連結部材８で連結しておくことによって、上部パッド2aと下部パッド2bはより自然な状態で接離を繰り返す。すなわち、カップ部１及び上部パッド2aは膝の定位置に安定的に装着された状態で、膝の曲げ伸ばしによって下部パッド2bが上下に移動する。したがって、しゃがみ込みと立ち上がり、あるいは歩行による膝の屈伸を繰り返しても、下部パッド2bのみが上下に移動し膝用プロテクタ全体は位置ずれを生じることがなく、安心して使用することができる。
【００１７】
前記、背面パッド４は、図５に示すように柔軟な発泡合成樹脂材を心材５とし、外表面をシート材６で被覆した平板としている。平板とした背面パッド４は、図２に示すように、上縁左右両位置を装着ベルト３に支持させている。上縁の左右両位置を右ベルト3aに支持させるには、スナップ釦などの係止具で係止させることもできるが、図示実施形態においては、背面パッド４の上端に固定した帯状の面ファスナー12、12によって右ベルト3aを抱持させるようにしている。これにより、背面パッド４を違和感なく、かつ安定的に装着することができる。
【００１８】
背面パッド４の外表面は、例えば通気性を備えたメッシュ状の吸湿性のシート材６で覆って汗による不快感を改善し、その外周を縁テープ13で縫製してほつれを防止している。なお、前面パッド２の外周囲、上部パッド2aの下縁及び下部パッドの上縁も、縁テープ13で縫製している。
心材５は、例えばポリウレタンフォームその他の発泡合成樹脂を使用し、その厚みを２〜３センチメートル程度とし、衝撃を吸収する適度なクッション性を備えるとともに、膝が過度に屈曲されないように、太ももとふくらはぎの間に適度な間隔を保持することができるものとしている。
【００１９】
略隅丸方形に形成する背面パッド４は、心材５の大きさを、上縁から２〜３センチメートル下の位置までとし、心材５の上端より上位置で外装体である吸湿性シート材を縫着して折り曲げ線14を形成し、この折り曲げ線14よりも上の位置に、係止手段である面ファスナー12の一部を固定している。この構造とすることにより、背面パッド４が膝の裏側から下に吊り下げられた状態となり、膝を強く曲げたときに、無理な力が作用するようなことなく、常に太ももとふくらはぎの間に自然に挟まれることになる。
【００２０】
以上述べた、本発明に係る図示実施形態の膝用プロテクタを装着して、タイル工事、内装床貼り、内装清掃作業及び農作業などを行うに際し、膝をついて作業を行う場合は、カップ部１の接地部７が地面についた状態となり、カップ部１及び前面パッド部２を介して膝をつくことになり、膝をしっかりとガードすることができる。作業中や作業終了時に、腰を落とすと図４に示すように太ももとふくらはぎの間に背面パッド４が挟まれた状態で体重が膝に掛かる。このとき、体重の一部が背面パッド４によって支受されるため、膝に掛かるダメージを軽減することになる。
【符号の説明】
【００２１】
１…カップ部、  ２…前面パッド、  2a…上部パッド、  2b…下部パッド、  ３…装着ベルト、  3a…右ベルト、  3b…左ベルト、  ４…背面パッド、  ５…心材、  ６…シート材、  ７…接地部、  ８…伸縮性連結部材、  ９…鋲、  10…雄片、  11…雌片、  12…面ファスナー、  13…縁テープ、  14…折り曲げ線。
【図１】
0006656023.tif 000002
【図２】
0006656023.tif 000003
【図３】
0006656023.tif 000004
【図４】
0006656023.tif 000005
【図５】
0006656023.tif 000006